(57)【要約】【課題】遊技球が球転動部の状態を変換して、別個の遊技球の始動入賞口への入賞難易度を設定することができる遊技機を提供する。【解決手段】包囲枠体５は、遊技球を転動案内路２９へ通して球転動部２３上に案内可能とし、球転動部２３上の遊技球を入賞案内路２８へ通して始動入賞口９の直上へ案内可能とし、球転動部２３は、第１球転動領域３１および第２球転動領域３２を備え、第１球転動領域３１の誘導傾斜部３６上の遊技球を入賞案内路２８または第２球転動領域３２へ誘導可能とし、第２球転動領域３２には、押圧受部６１と揺動流路部６２とを備えた揺動部材４３を設け、揺動流路部６２を誘導傾斜部３６へ連通可能とし、押圧受部６１を押圧すると、揺動流路部６２の上流端を誘導傾斜部３６の傾斜下端よりも上方に移動して流下規制状態へ変換し、誘導傾斜部３６上の遊技球の揺動流路部６２への流入を規制すると共に、入賞案内路２８への流入を許容する。【選択図】図６
2010115228.tif 000002
【特許請求の範囲】
【請求項１】
前面に遊技領域が区画形成された遊技盤と、該遊技領域に配置され、遊技球の内部への流入を規制する壁が枠状に設けられた包囲枠体と、該包囲枠体の下方に配置された始動入賞口と、複数の識別情報を変動表示して変動表示ゲームを実行可能な変動表示装置と、遊技の進行を制御する制御装置と、を備え、遊技球が始動入賞口へ入賞したことに基づいて変動表示装置が変動表示ゲームを実行し、該変動表示ゲームの結果態様が予め定められた特別結果態様となった場合に、制御装置が特別遊技状態を発生させる制御を行って予め定められた特別遊技価値を付与可能とする遊技機において、
前記包囲枠体は、遊技球が転動可能な球転動部と、上流側開口を遊技領域へ連通するとともに下流側開口を球転動部へ臨ませた転動案内路と、上流側開口を球転動部へ開放するとともに下流側開口を包囲枠体の前縁部のうち始動入賞口の直上に位置する箇所へ開放した入賞案内路と、を設け、遊技領域を流下する遊技球を転動案内路へ通して球転動部上に案内可能とし、球転動部上を転動する遊技球を入賞案内路へ通して始動入賞口の直上へ案内可能とし、
前記球転動部は、遊技球を包囲枠体の下方へ向けて誘導可能な第１球転動領域および第２球転動領域を備え、
前記第１球転動領域には、傾斜下端を入賞案内路の上流側開口および第２球転動領域へ臨ませた誘導傾斜部と、該誘導傾斜部上を転動する遊技球を検出可能な傾斜部検出センサと、を設け、誘導傾斜部上の遊技球を入賞案内路または第２球転動領域のいずれかへ誘導可能とし、
前記第２球転動領域には、上面が上下方向へ揺動自在な揺動部材を備え、
該揺動部材は、当該揺動部材の一側に位置し、遊技球が載って下方へ押圧可能な押圧受部と、当該揺動部材の他側に位置し、遊技球を転動可能な揺動流路部と、を備え、押圧受部と揺動流路部とを連通し、押圧受部と揺動流路部との間には揺動中心軸を横向き姿勢で設定し、
前記揺動流路部の上流端を誘導傾斜部の傾斜下端へ連通可能とし、下流端を包囲枠体の前縁部のうち始動入賞口の直上から側方へ外れた位置へ開放し、
前記押圧受部を下方へ押圧すると、揺動流路部の上流端を誘導傾斜部の傾斜下端よりも上方に移動して流下規制状態へ変換し、誘導傾斜部上の遊技球が揺動流路部へ流入することを規制するとともに、入賞案内路へ流入することを許容し、
前記押圧受部の押圧状態を解除すると、揺動流路部を誘導傾斜部の傾斜下端よりも下方に移動して流下許容状態へ変換し、誘導傾斜部上の遊技球が揺動流路部または入賞案内路へ流入することを許容し、
前記転動案内路は、第１案内路と、該第１案内路とは別個に遊技球を案内する第２案内路と、から構成され、第１案内路の下流側開口を第１球転動領域へ臨ませ、第２案内路の下流側開口を第２球転動領域の押圧受部へ臨ませ、
前記第２案内路には、当該第２案内路内に出没して遊技球の流下を阻止可能な流下ストッパを設け、
前記変動表示ゲームの非実行時に傾斜部検出センサが誘導傾斜部上へ転動してきた遊技球を検出すると、制御装置が流下ストッパを駆動して第２案内路内の遊技球の流下を許容し、この状態で誘導傾斜部上の遊技球とは別個の遊技球を第２案内路から第２球転動領域へ流下させると、押圧受部が押圧されて揺動部材が流下規制状態へ変換するように構成されたことを特徴とする遊技機。
【請求項２】
前記流下ストッパを第２案内路の下流側開口寄りに配置し、流下ストッパを第２案内路内へ突出して流下阻止状態へ変換すると、第２案内路内に複数の遊技球を貯留可能となるように構成されたことを特徴とする請求項１に記載の遊技機。
【請求項３】
前記包囲枠体の前縁部のうち始動入賞口の直上から側方へ外れた位置には、揺動流路部を流下してきた遊技球を包囲枠体の前方へ放出可能な球放出口を設け、該球放出口を入賞案内路の下流側開口よりも上方に配置したことを特徴とする請求項１または請求項２に記載の遊技機。
【発明の詳細な説明】
【技術分野】
【０００１】
本発明は、前面に遊技領域が区画形成された遊技盤と、該遊技領域に配置され、遊技球の内部への流入を規制する壁が枠状に設けられた包囲枠体と、該包囲枠体の下方に配置された始動入賞口と、複数の識別情報を変動表示して変動表示ゲームを実行可能な変動表示装置と、遊技の進行を制御する制御装置とを備えたパチンコ遊技機等の遊技機に関する。
【背景技術】
【０００２】
従来の遊技機、例えば、パチンコ遊技機においては、遊技盤に区画形成された遊技領域に包囲枠体（センターケース）を配置し、該包囲枠体に開口部を開設して変動表示ゲームが表示される変動表示装置の表示画面を臨ませ、包囲枠体の下部には、包囲枠体内に流入した遊技球を横方向へ転動させる球転動部（ステージ部）を配置し、遊技者に遊技球が転動する様子を見せるように構成したものがある。また、包囲枠体の下方には、変動表示ゲームを始動させるための始動入賞口（入賞部）を配置し、球転動部を転動した遊技球が下方へ落下して始動入賞口へ入賞したり、始動入賞口へ入賞せずに遊技盤の下部へ流下したりするように構成している。
【０００３】
そして、上記パチンコ遊技機では、包囲枠体の側部に転動案内路（所謂ワープ通路）を形成し、遊技領域のうち包囲枠体の上方や側方を流下する遊技球が転動案内路を通って球転動部上へ到達可能としたものが提案されている。さらに、転動案内路内に流下ストッパ（流下阻止部材）を出没可能な状態で備え、転動案内路内に流下ストッパを突出して遊技球を貯留したり、転動案内路内から流下ストッパを引き抜いて貯留状態の遊技球を球転動部上へ放出したりする旨が提案されている（例えば、特許文献１参照）。
【特許文献１】特開２００４−３４４２２７号公報
【発明の開示】
【発明が解決しようとする課題】
【０００４】
ところが、上記特許文献に記載のパチンコ遊技機では、包囲枠体内（転動案内路内や球転動部上）を移動する遊技球が別個の遊技球の挙動、具体的には別個の遊技球が始動入賞口へ向けて転動するか否かに影響を及ぼし難く、遊技の進行が単調になりがちである。このため、遊技の興趣が減衰する虞があり、好ましくない。
【０００５】
本発明は、上記の事情に鑑みてなされたものであり、その目的は、遊技球が球転動部の状態を変換して、別個の遊技球の始動入賞口への入賞難易度を設定することができ、遊技の興趣が減衰する不都合を避けることができる遊技機を提供しようとするものである。
【課題を解決するための手段】
【０００６】
本発明は、上記目的を達成するために提案されたものであり、請求項１に記載のものは、  前面に遊技領域が区画形成された遊技盤と、該遊技領域に配置され、遊技球の内部への流入を規制する壁が枠状に設けられた包囲枠体と、該包囲枠体の下方に配置された始動入賞口と、複数の識別情報を変動表示して変動表示ゲームを実行可能な変動表示装置と、遊技の進行を制御する制御装置と、を備え、遊技球が始動入賞口へ入賞したことに基づいて変動表示装置が変動表示ゲームを実行し、該変動表示ゲームの結果態様が予め定められた特別結果態様となった場合に、制御装置が特別遊技状態を発生させる制御を行って予め定められた特別遊技価値を付与可能とする遊技機において、
前記包囲枠体は、遊技球が転動可能な球転動部と、上流側開口を遊技領域へ連通するとともに下流側開口を球転動部へ臨ませた転動案内路と、上流側開口を球転動部へ開放するとともに下流側開口を包囲枠体の前縁部のうち始動入賞口の直上に位置する箇所へ開放した入賞案内路と、を設け、遊技領域を流下する遊技球を転動案内路へ通して球転動部上に案内可能とし、球転動部上を転動する遊技球を入賞案内路へ通して始動入賞口の直上へ案内可能とし、
前記球転動部は、遊技球を包囲枠体の下方へ向けて誘導可能な第１球転動領域および第２球転動領域を備え、
前記第１球転動領域には、傾斜下端を入賞案内路の上流側開口および第２球転動領域へ臨ませた誘導傾斜部と、該誘導傾斜部上を転動する遊技球を検出可能な傾斜部検出センサと、を設け、誘導傾斜部上の遊技球を入賞案内路または第２球転動領域のいずれかへ誘導可能とし、
前記第２球転動領域には、上面が上下方向へ揺動自在な揺動部材を備え、
該揺動部材は、当該揺動部材の一側に位置し、遊技球が載って下方へ押圧可能な押圧受部と、当該揺動部材の他側に位置し、遊技球を転動可能な揺動流路部と、を備え、押圧受部と揺動流路部とを連通し、押圧受部と揺動流路部との間には揺動中心軸を横向き姿勢で設定し、
前記揺動流路部の上流端を誘導傾斜部の傾斜下端へ連通可能とし、下流端を包囲枠体の前縁部のうち始動入賞口の直上から側方へ外れた位置へ開放し、
前記押圧受部を下方へ押圧すると、揺動流路部の上流端を誘導傾斜部の傾斜下端よりも上方に移動して流下規制状態へ変換し、誘導傾斜部上の遊技球が揺動流路部へ流入することを規制するとともに、入賞案内路へ流入することを許容し、
前記押圧受部の押圧状態を解除すると、揺動流路部を誘導傾斜部の傾斜下端よりも下方に移動して流下許容状態へ変換し、誘導傾斜部上の遊技球が揺動流路部または入賞案内路へ流入することを許容し、
前記転動案内路は、第１案内路と、該第１案内路とは別個に遊技球を案内する第２案内路と、から構成され、第１案内路の下流側開口を第１球転動領域へ臨ませ、第２案内路の下流側開口を第２球転動領域の押圧受部へ臨ませ、
前記第２案内路には、当該第２案内路内に出没して遊技球の流下を阻止可能な流下ストッパを設け、
前記変動表示ゲームの非実行時に傾斜部検出センサが誘導傾斜部上へ転動してきた遊技球を検出すると、制御装置が流下ストッパを駆動して第２案内路内の遊技球の流下を許容し、この状態で誘導傾斜部上の遊技球とは別個の遊技球を第２案内路から第２球転動領域へ流下させると、押圧受部が押圧されて揺動部材が流下規制状態へ変換するように構成されたことを特徴とする遊技機である。
【０００７】
請求項２に記載のものは、前記流下ストッパを第２案内路の下流側開口寄りに配置し、流下ストッパを第２案内路内へ突出して流下阻止状態へ変換すると、第２案内路内に複数の遊技球を貯留可能となるように構成されたことを特徴とする請求項１に記載の遊技機である。
【０００８】
請求項３に記載のものは、前記包囲枠体の前縁部のうち始動入賞口の直上から側方へ外れた位置には、揺動流路部を流下してきた遊技球を包囲枠体の前方へ放出可能な球放出口を設け、該球放出口を入賞案内路の下流側開口よりも上方に配置したことを特徴とする請求項１または請求項２に記載の遊技機である。
【発明の効果】
【０００９】
本発明によれば、以下のような優れた効果を奏する。
請求項１に記載の発明によれば、包囲枠体は、遊技領域を流下する遊技球を転動案内路へ通して球転動部上に案内可能とし、球転動部上を転動する遊技球を入賞案内路へ通して始動入賞口の直上へ案内可能とし、球転動部は、遊技球を包囲枠体の下方へ向けて誘導可能な第１球転動領域および第２球転動領域を備え、第１球転動領域には、傾斜下端を入賞案内路の上流側開口および第２球転動領域へ臨ませた誘導傾斜部と、該誘導傾斜部上を転動する遊技球を検出可能な傾斜部検出センサとを設け、誘導傾斜部上の遊技球を入賞案内路または第２球転動領域のいずれかへ誘導可能とし、第２球転動領域には、上面が上下方向へ揺動自在な揺動部材を備え、該揺動部材は、当該揺動部材の一側に位置し、遊技球が載って下方へ押圧可能な押圧受部と、当該揺動部材の他側に位置し、遊技球を転動可能な揺動流路部とを備え、押圧受部と揺動流路部とを連通し、押圧受部と揺動流路部との間には揺動中心軸を横向き姿勢で設定し、揺動流路部の上流端を誘導傾斜部の傾斜下端へ連通可能とし、下流端を包囲枠体の前縁部のうち始動入賞口の直上から側方へ外れた位置へ開放し、押圧受部を下方へ押圧すると、揺動流路部の上流端を誘導傾斜部の傾斜下端よりも上方に移動して流下規制状態へ変換し、誘導傾斜部上の遊技球が揺動流路部へ流入することを規制するとともに、入賞案内路へ流入することを許容し、押圧受部の押圧状態を解除すると、揺動流路部を誘導傾斜部の傾斜下端よりも下方に移動して流下許容状態へ変換し、誘導傾斜部上の遊技球が揺動流路部または入賞案内路へ流入することを許容し、転動案内路は、第１案内路と、該第１案内路とは別個に遊技球を案内する第２案内路とから構成され、第１案内路の下流側開口を第１球転動領域へ臨ませ、第２案内路の下流側開口を第２球転動領域の押圧受部へ臨ませ、第２案内路には、当該第２案内路内に出没して遊技球の流下を阻止可能な流下ストッパを設け、変動表示ゲームの非実行時に傾斜部検出センサが誘導傾斜部上へ転動してきた遊技球を検出すると、制御装置が流下ストッパを駆動して第２案内路内の遊技球の流下を許容し、この状態で誘導傾斜部上の遊技球とは別個の遊技球を第２案内路から第２球転動領域へ流下させると、押圧受部が押圧されて揺動部材が流下規制状態へ変換するように構成したので、第２案内路を流下してきた遊技球の動きを利用して、第１案内路を流下してきた遊技球が始動入賞口へ入賞し易くなるか否かという入賞難易度を設定することができる。したがって、従来にない斬新な機能を備えた球転動部を実現することができ、遊技の興趣が減衰する不都合を避けることができる。
【００１０】
請求項２に記載の発明によれば、流下ストッパを第２案内路の下流側開口寄りに配置し、流下ストッパを第２案内路内へ突出して流下阻止状態へ変換すると、第２案内路内に複数の遊技球を貯留可能となるように構成したので、流下ストッパの流下阻止状態を解除して複数の遊技球を第２案内路から流下させれば、これらの遊技球が押圧受部から外れるまで揺動部材を長時間に亘って流下規制状態に維持することができる。したがって、第１案内路を流下してきた遊技球が始動入賞口へ入賞する可能性を高めることができ、遊技の興趣の向上を図ることができる。
【００１１】
請求項３に記載の発明によれば、包囲枠体の前縁部のうち始動入賞口の直上から側方へ外れた位置には、揺動流路部を流下してきた遊技球を包囲枠体の前方へ放出可能な球放出口を設け、該球放出口を入賞案内路の下流側開口よりも上方に配置したので、入賞案内路の下流側開口から始動入賞口ヘ向けて落下する遊技球に、球放出口から放出された遊技球が側方から衝突する虞がない。したがって、始動入賞口への入賞が期待される遊技球が他の遊技球に衝突される不都合、ひいては入賞を邪魔される不都合を抑えることができ、遊技者の期待どおりに遊技を進行し易い。
【発明を実施するための最良の形態】
【００１２】
以下、代表的な遊技機であるパチンコ遊技機を例に挙げて本発明の実施の最良の形態を図面に基づき説明する。図１はパチンコ遊技機の遊技盤の斜視図である。
パチンコ遊技機の遊技盤１は、図１に示すように、合板やプラスチックなどにより形成される略矩形状の遊技盤本体２を備え、該遊技盤本体２の表面をパチンコ遊技機の前面枠に設けられた区画部材（図示せず）により区画して遊技領域３とし、該遊技領域３内の略中央に包囲枠体（センターケース）５を配置し、該包囲枠体５の後方には、遊技の進行に合わせて表示内容を変動表示可能な液晶表示装置等の変動表示装置６と、該変動表示装置６を制御する表示制御装置７とを備えている。また、遊技領域３のうち包囲枠体５の中央部の下方には、開閉可能な羽根状の開閉部材９ａを備えた始動入賞口９を配置し、包囲枠体５の左右両側部の下方には普図始動ゲート１０を配置し、始動入賞口９の一側方（図１中、左側方）には大入賞口１１を配置し、他側方（図１中、右側方）には、大入賞口１１の形状を模した装飾部材１２を配置している。そして、遊技球が普図始動ゲート１０や始動入賞口９へ入賞すると、変動表示装置６において図柄を変動表示させる変動表示ゲームを実行するように構成されている。具体的には、普図始動ゲート１０への入賞（通過）を契機として普図変動表示ゲームを行い、普図変動表示ゲームの結果態様が予め定められた態様となった場合には、始動入賞口９の開閉部材９ａを開いて遊技球を始動入賞口９へ入賞し易くする。また、始動入賞口９への入賞を始動条件として特図変動表示ゲームを行って複数の識別情報を変動表示し、特図変動表示ゲームの結果態様が予め定められた特別結果態様（所謂大当たり）となった場合に、大入賞口１１を開放して遊技球の大入賞口１１への入賞を許容する。
【００１３】
次に、包囲枠体５について説明する。
包囲枠体５は、図２および図３に示すように、包囲枠体５のベースとなる箱状の枠体基部１５を備え、該枠体基部１５の内部には凹室１６を包囲枠体５の前方へ開放した状態で形成し、該凹室１６内の上部には装飾具１７を備え、凹室１６の後部（言い換えると枠体基部１５の後部）には表示用開口部１８を開設するとともに、該表示用開口部１８を透明樹脂製の開口カバー１９で後方から閉塞し、該開口カバー１９および表示用開口部１８から変動表示装置６の表示画面を凹室１６内、さらには枠体基部１５の前側開口を通して包囲枠体５の前方へ臨ませている。また、枠体基部１５の前側開口の周縁部にはフランジ状の取付基板２０を包囲枠体５の外方へ向けて延設し、該取付基板２０を遊技盤本体２に止着して当該包囲枠体５を遊技盤１へ装着するように構成されている。
【００１４】
そして、取付基板２０の上部の前面には、包囲枠体５の前方へ向けて突出した庇状の鎧部２２を包囲枠体５の左右両側へ向けて下り傾斜した円弧状態で配置して、この鎧部２２が包囲枠体５の上部に設けられた枠状の流入阻止壁となって、遊技球（詳しくは遊技領域３内を包囲枠体５の上方から流下してくる遊技球）が包囲枠体５の内部へ流入することを規制するように構成されている。さらに、包囲枠体５の内部、詳しくは取付基板２０の下部の後方であって枠体基部１５の下側に位置する底部には、遊技球が横方向（前後方向および左右方向）へ転動可能な球転動部２３を配置している。詳しくは、図３および図４（ａ）に示すように、枠体基部１５の内側下部に横長な起立壁２５を立設し、該起立壁２５の裏面側に横長な下向き円弧状の後側転動部形成部材２６（図４（ａ）参照）を止着し、起立壁２５の前方には、横長な下向き円弧状の前側転動部形成部材２７を起立壁２５から離間した状態で配置し、後側転動部形成部材２６の上面から前側転動部形成部材２７の上面に亘って球転動部２３を設定している。また、球転動部２３の下方には、球転動部２３上を転動する遊技球を始動入賞口９の直上へ案内可能な入賞案内路２８を備え、球転動部２３の上方には、遊技領域３を流下する遊技球を球転動部２３上へ案内可能な転動案内路２９を備えている。
【００１５】
球転動部２３は、図２および図４（ａ）に示すように、当該球転動部２３の後側に配置された第１球転動領域３１と、当該球転動部２３の前後方向の中間（言い換えると第１球転動領域３１の前方）に第１球転動領域３１よりも１段低い状態で配置された第２球転動領域３２と、当該球転動部２３の前側（言い換えると第２球転動領域３２の前方）に第２球転動領域３２よりも１段低い状態で配置された第３球転動領域３３と、を備えて構成されている。そして、第１球転動領域３１を後側転動部形成部材２６の上面の前側に設定し、第２球転動領域３２を後側転動部形成部材２６と前側転動部形成部材２７との間に設定し、第３球転動領域３３を前側転動部形成部材２７の上面に設定している。さらに、後側転動部形成部材２６の上面の後端部（第１球転動領域３１の後端と表示用開口部１８の下縁部との間）には棚部３４を第１球転動領域３１よりも１段高い状態で備え、遊技球が球転動部２３から表示用開口部１８側へ転動する不都合、ひいては遊技球が変動表示装置６の表示画面に衝突する不都合を棚部３４により阻止可能としている。
【００１６】
第１球転動領域３１は、球転動部２３の左右両側から中央部へ向けて下り傾斜した略円弧状の曲面を前方の第２球転動領域３２へ向けて僅かに下り傾斜した状態で形成されており、当該第１球転動領域３１上の遊技球を第２球転動領域３２、ひいては第３球転動領域３３へ通して球転動部２３の前方へ放出して包囲枠体５の下方へ向けて誘導できるように構成されている。また、第１球転動領域３１の中央部を始動入賞口９の直上の位置（詳しくは、遊技盤１の正面から見て始動入賞口９の直上の位置）に設定するとともに前方の第２球転動領域３２側へ向けて下り傾斜させて誘導傾斜部３６を形成し、該誘導傾斜部３６をその左右方向の中央部分が下方に凹む湾曲面に設定し、誘導傾斜部３６に到達した遊技球が誘導傾斜部３６上を左右に揺動しながら第１球転動領域３１の前側へ向けて転動できるように構成されている。さらに、誘導傾斜部３６の傾斜下端の横幅（誘導傾斜部３６の傾斜方向とは直交する方向の幅）を遊技球の直径の略４倍の寸法に設定している。そして、第１球転動領域３１の前縁部のうち誘導傾斜部３６の左右両側方に位置する箇所には球転動阻止突起３７を突設し、第１球転動領域３１上を転動する遊技球が誘導傾斜部３６から外れた位置から第１球転動領域３１の前方へ移動することを阻止するように構成されている。
【００１７】
また、図４（ａ）に示すように，誘導傾斜部３６の下方には棚状のセンサホルダ３８を備え、該センサホルダ３８の上面には、誘導傾斜部３６上を転動する遊技球を検出可能な傾斜部検出センサ３９を載置し、傾斜部検出センサ３９の下部をセンサホルダ３８の上面の左右両側に突出した突出片３８ａの間へ嵌合して傾斜部検出センサ３９の左右方向を位置決めしている。さらに、該傾斜部検出センサ３９をセンサホルダ３８と後側転動部形成部材２６との間に上下方向から挟持して傾斜部検出センサ３９の上下方向を位置決めし、開口カバー１９の下部から前方の球転動部２３側へ突出されたセンサ係合部４０（図３参照）と起立壁２５との間に前後方向から挟持して傾斜部検出センサ３９の前後方向を位置決めしている。
【００１８】
第２球転動領域３２は、図２および図３に示すように、第１球転動領域３１と前後方向に並んで設定された領域であり、当該第２球転動領域３２の左右方向の中央部には後述する入賞案内路２８の上流側開口２８ａを遊技球が１個ずつ流入可能な大きさで開設している。また、該入賞案内路２８の上流側開口２８ａの左右両側方には、上面が上下方向へ揺動自在な揺動部材４３を備え、該揺動部材４３の上面を上方の凹室１６内へ露出するとともに入賞案内路２８の上流側開口２８ａ側へ向けて下り傾斜、且つ第３球転動領域３３側へ向けて下り傾斜させて遊技球が転動できるように構成されている。さらに、図２に示すように、当該第２球転動領域３２の左右方向の中央部の後方、言い換えると入賞案内路２８の上流側開口２８ａの後方に、誘導傾斜部３６の傾斜下端のうち左右方向の中央部分を臨ませ、誘導傾斜部３６の傾斜下端の中央部から転動してきた遊技球を入賞案内路２８へ流入（落下）可能としている。なお、揺動部材４３については、後で詳細に説明する。
【００１９】
第３球転動領域３３は、図２に示すように、球転動部２３の左右両側から中央部へ向けて下り傾斜した略円弧状の曲面で形成されており、当該第３球転動領域３３の中央部を始動入賞口９の直上の位置（詳しくは、遊技盤１の正面から見て始動入賞口９の直上の位置）に設定するとともに包囲枠体５の前方へ向けて下り傾斜させて放出傾斜部４５を形成している。また、該放出傾斜部４５をその左右方向の中央部分が下方に凹む湾曲面に設定し、放出傾斜部４５に到達した遊技球が放出傾斜部４５上を左右に揺動しながら第３球転動領域３３の前側へ向けて転動できるように構成されている。さらに、放出傾斜部４５の傾斜下端の横幅（放出傾斜部４５の傾斜方向とは直交する方向の幅）を誘導傾斜部３６の傾斜下端の横幅よりも狭い寸法、例えば、遊技球の直径の略３倍の寸法に設定し、放出傾斜部４５の傾斜下端（言い換えると包囲枠体５の前縁部に位置する傾斜下端）のうち、始動入賞口９の直上に位置する開放部分を入賞放出口４７とし、該入賞放出口４７を入賞案内路２８の上流側開口２８ａの前方、且つ下流側開口２８ｂの直上に設定している。また、放出傾斜部４５の傾斜下端のうち、始動入賞口９の直上から側方へ外れて位置する開放部分を球放出口４８とし、該球放出口４８を入賞案内路２８の下流側開口２８ｂよりも上方に配置している。そして、第３球転動領域３３の前縁部のうち放出傾斜部４５の左右両側方に位置する箇所には球放出阻止突起４９を突設し、第３球転動領域３３上を転動する遊技球が放出傾斜部４５から外れたときに第３球転動領域３３の前方へ移動する（言い換えると、球転動部２３から前方へ放出される）ことを阻止するように構成されている。
【００２０】
入賞案内路２８は、図２に示すように、球転動部２３上（具体的には第１球転動領域３１上）を転動する遊技球を始動入賞口９の直上へ誘導可能な遊技球流路であり、球転動部２３の下方のうち始動入賞口９の直上に包囲枠体５の前方へ向けて下り傾斜する姿勢で設けられている。また、入賞案内路２８の傾斜上端を第２球転動領域３２の中央部から上方へ開放して上流側開口２８ａとし、入賞案内路２８の傾斜下端を包囲枠体５の前縁部、詳しくは前側転動部形成部材２７の前面側のうち始動入賞口９の直上に位置する箇所へ開放して下流側開口２８ｂとし、入賞案内路２８を流下してきた遊技球を下流側開口２８ｂから前方へ放出して始動入賞口９の直上へ案内可能としている。さらに、図３および図５に示すように、枠体基部１５の内側下部のうち入賞案内路２８の傾斜上端の底部の左右両側方には案内幅規制突起５０を立設し、該案内幅規制突起５０の離間距離を遊技球の直径よりも僅かに広く設定し、入賞案内路２８内を流下する遊技球が包囲枠体５の左右方向へ揺れる動き、ひいては入賞案内路２８の下流側開口２８ｂから放出されるときに始動入賞口９の直上から外れようとする動きを阻止可能としている。
【００２１】
転動案内路２９は、図２および図４（ａ）に示すように、複数（本実施形態では２つ）の第１案内路５１と、該第１案内路５１とは別個に遊技球を案内する複数（本実施形態では２つ）の第２案内路５２とを備えて構成されており、第１案内路５１および第２案内路５２を遊技球が１列に並んで流下可能な流路径にそれぞれ設定している。また、各第１案内路５１を包囲枠体５の中心を挟んで互いに左右対称となる状態に設定し、各第２案内路５２を包囲枠体５の中心を挟んで互いに左右対称となる状態に設定している。
【００２２】
第１案内路５１は、図２に示すように、遊技球が１個ずつ流入可能な上流側開口５１ａを鎧部２２の側端部の下方に位置する箇所から包囲枠体５の側方へ向けて開放して遊技領域３のうち包囲枠体５の側方に位置する箇所へ連通し、上流側開口５１ａから枠体基部１５の後側へ向けて上流部５１ｂを延設している。さらに、上流部５１ｂの延設端部（後端部）から下流部５１ｃを包囲枠体５の中央側へ向けて屈曲し、下流部５１ｃの下端を第１球転動領域３１の側端部の上方へ開放して当該第１案内路５１の下流側開口５１ｄとし、該下流側開口５１ｄを球転動部２３の第１球転動領域３１へ臨ませている。
【００２３】
第２案内路５２は、図２および図４（ａ），（ｂ）に示すように、遊技球が１個ずつ流入可能な上流側開口５２ａを鎧部２２の中央寄りに位置する部分から包囲枠体５の上方へ向けて開放して遊技領域３のうち包囲枠体５の上方に位置する箇所へ連通し、上流側開口５２ａから枠体基部１５の後縁へ向けて上流部５２ｂを延設している。さらに、上流部５２ｂの延設端部（後端部）から中流部５２ｃを枠体基部１５の外周に沿って円弧状に下り傾斜させ、傾斜下端部を包囲枠体５の中央側へ向けてクランク状に屈曲している。そして、この中流部５２ｃの屈曲部分の下端から下流部５２ｄを包囲枠体５の前方へ向けて延設して第１案内路５１の下流部５１ｃの下方へ通し、この延設端を第２球転動領域３２の左右方向の端部の上方へ開放して当該第２案内路５２の下流側開口５２ｅとし、該下流側開口５２ｅを第２球転動領域３２へ臨ませている。なお、中流部５２ｃの後側には、開口カバー１９の上縁部に一体成型された円弧状の流路閉塞部５４（図３参照）を重合して中流部５２ｃを後方から閉成している。
【００２４】
また、図４（ａ）および（ｂ）に示すように、第２案内路５２の下流側開口５２ｅ寄り、具体的には中流部５２ｃの屈曲部分の中間部には、遊技球の流下を阻止可能な突起状の流下ストッパ５６を第２案内路５２内へ出没可能な状態で設けている。そして、中流部５２ｃの屈曲部分の下方に駆動源となるストッパソレノイド５７をプランジャが上側に向いた姿勢で配置するとともに、該プランジャに流下ストッパ５６を接続し、流下ストッパ５６が上下方向へ移動して中流部５２ｃの屈曲部分内へ出没できるように構成されている。詳しくは、ストッパソレノイド５７を消磁した常態では、流下ストッパ５６が中流部５２ｃの屈曲部分内へ突出して流下阻止状態へ変換して（図４（ｂ）参照）、第２案内路５２内のうち流下ストッパ５６よりも上流側の位置に複数個の遊技球を１列に並んだ状態で貯留可能となり、ストッパソレノイド５７を励磁すると、流下ストッパ５６が中流部５２ｃの屈曲部分内から引き抜かれて阻止解除状態に設定され、貯留していた遊技球を第２案内路５２の下流側開口５２ｅから放出可能となる。
【００２５】
次に、第２球転動領域３２の揺動部材４３について説明する。
揺動部材４３は、図３〜５に示すように、包囲枠体５の幅方向（左右方向）に沿って延在する長尺な部材であり、包囲枠体５の幅方向の中央側へ向けて下り傾斜する姿勢に設定されている。また、当該揺動部材４３の長手方向（左右方向）の一側、具体的には包囲枠体５の側部寄りに位置する側部には、遊技球が載って下方へ押圧可能な押圧受部６１を備え、長手方向の他側、具体的には入賞案内路２８寄りに位置する側部には、遊技球を転動可能な揺動流路部６２を備えている。さらに、押圧受部６１と揺動流路部６２とを包囲枠体５の前方から見て境界部分（揺動部材４３の中央部分）が下方へ凹んで倒「く」字状となる姿勢に設定して押圧受部６１と揺動流路部６２とを連通し、遊技球が押圧受部６１と揺動流路部６２との間を移動できるように構成されている。そして、押圧受部６１と揺動流路部６２との間には揺動中心軸Ｃを包囲枠体５の前後方向に沿って横向き姿勢に設定し、該揺動中心軸Ｃ上に開設された軸受穴６３に起立壁２５から延設された揺動軸部６４を回動自在な状態で軸着して（図３参照）、押圧受部６１と揺動流路部６２とが交互に上下方向へ揺動できるように構成されている。なお、図４（ａ）に示すように、揺動部材４３のうち揺動流路部６２の下方に位置する箇所には錘６５を配置して、揺動流路部６２側が押圧受部６１側よりも重くなるように設定している。また、案内幅規制突起５０のうち揺動部材４３側に臨ませた側面を揺動中心軸Ｃが中心となる円弧面に設定し、該円弧面に揺動部材４３の側部を摺動させて揺動部材４３の揺動をガイドできるように構成されている。
【００２６】
さらに、押圧受部６１および揺動流路部６２をいずれも前方の第３球転動領域３３へ向けて下り傾斜した状態に設定し、押圧受部６１のうち前後方向の傾斜上端となる後縁部を第２案内路５２の下流側開口５２ｅの下方へ位置させて、第２案内路５２の下流側開口５２ｅを押圧受部６１へ臨ませている。また、押圧受部６１のうち前後方向の傾斜下端となる前縁部、言い換えると第３球転動領域３３側に位置する縁部には転動規制壁６６を立設し、遊技球が押圧受部６１上から第３球転動領域３３へ直接流入することを規制している。また、揺動流路部６２の入賞案内路２８側に位置する側端部を誘導傾斜部３６の側部と放出傾斜部４５の球放出口４８との間に配置して、揺動流路部６２の上流端（後側端）を誘導傾斜部３６の傾斜下端へ連通可能とし、下流端（前側端）を球放出口４８へ臨ませて包囲枠体５の前縁部のうち始動入賞口９の直上から側方へ外れた位置へ開放している。さらに、揺動流路部６２の下流端、詳しくは揺動流路部６２のうち前後方向の傾斜下端となる前縁部を第３球転動領域３３の後方に１段高くなる位置に設定し、揺動流路部６２上の遊技球が前方へ流下して第３球転動領域３３へ流入し、放出傾斜部４５を通って包囲枠体５の下方へ向けて誘導されるように構成されている。そして、揺動流路部６２のうち入賞案内路２８側の側縁部には落下阻止突起６８を突設し、揺動流路部６２上の遊技球が入賞案内路２８の上流側開口２８ａへ落下することを落下阻止突起６８により阻止している。
【００２７】
このような構成を備えた揺動部材４３は、図５（ａ）および図６に示すように、遊技球を押圧受部６１上に載置して押圧受部６１を下方へ押圧すると、揺動中心軸Ｃを中心にして押圧受部６１が下降する方向へ回動し、揺動流路部６２を錘６５の自重に抗して誘導傾斜部３６の傾斜下端よりも上方に移動して流下規制状態へ変換し、誘導傾斜部３６上の遊技球が揺動流路部６２へ流入することを規制するとともに、入賞案内路２８へ流入することを許容する。さらに、流下規制状態では、揺動流路部６２を前方の第３球転動領域３３側へ向けて下り傾斜させるとともに、側方の揺動中心軸Ｃ側へ向けて僅かに下り傾斜させる。また、揺動流路部６２の上流端側の縁部（後縁部）を誘導傾斜部３６の左右方向の端部から中心側へ向けて延在する姿勢に設定して球ガイド６９を形成し（図６参照）、この球ガイド６９に誘導傾斜部３６上の遊技球を沿わせて入賞案内路２８の上流側開口２８ａへ案内可能となる。一方、図５（ｂ）に示すように、遊技球を押圧受部６１上から外して押圧受部６１の押圧状態を解除すると、錘６５の自重により揺動中心軸Ｃを中心にして押圧受部６１が上昇する方向へ回動し、揺動流路部６２を誘導傾斜部３６の傾斜下端よりも下方に移動して流下許容状態へ変換し、誘導傾斜部３６上の遊技球が揺動流路部６２または入賞案内路２８へ流入することを許容する。
【００２８】
なお、枠体基部１５の内側下部のうち揺動流路部６２の下方に位置する箇所には流路部回動ストッパ７１を案内幅規制突起５０の基部から突出する状態で備え、押圧受部６１の下方に位置する箇所には受部回動ストッパ７２を起立壁２５の前面側から包囲枠体５の前方へ向けて突出する状態で備えている。そして、流下許容状態においては、揺動流路部６２の下部を流路部回動ストッパ７１により下方から支持して、揺動流路部６２が下降しすぎることを阻止するとともに、押圧受部６１が上昇し過ぎて第１案内路５１の下流側開口５１ｄを塞いでしまう不都合（遊技球が第１案内路５１から押圧受部６１上に放出されない不都合）を阻止するように構成されている。さらに、流下規制状態においては、押圧受部６１の下部を受部回動ストッパ７２により下方から支持して、押圧受部６１が下降しすぎること、ひいては押圧受部６１が揺動流路部６２よりも下降して入賞案内路２８側（包囲枠体５の幅方向の中央側）へ向けて上り傾斜した姿勢となることを阻止するように構成されている。
【００２９】
また、傾斜部検出センサ３９およびストッパソレノイド５７は、図７に示すように、遊技制御装置７４（本発明における制御装置に相当）に接続されている。遊技制御装置７４は、遊技進行を統括的に制御するメイン制御装置として機能し、遊技制御を司るマイクロプロセッサ、遊技制御のためのプログラム等を記憶しているＲＯＭ、および遊技制御時にワークエリアとして利用されるＲＡＭ、入力インターフェース、出力インターフェース、外部通信端子等から構成されている。そして、普図始動ゲート１０のゲートセンサ、始動入賞口９の入賞センサ（いずれも図示せず）、傾斜部検出センサ３９等の各種検出装置から検出信号を受けて、各変動表示ゲームの実行、ゲーム結果に基づく大当たり状態等の遊技状態の発生、遊技者に対する報知等、種々の処理を行う。さらに、表示制御装置７などの各種サブ制御装置の他、始動入賞口９の開閉部材９ａを駆動するための開閉駆動ソレノイド（図示せず）、大入賞口１１を開閉するための大入賞口ソレノイド（図示せず）等に指令信号を送信して、遊技を統括的に制御する。
【００３０】
次に、包囲枠体５の作用について説明する。なお、遊技制御装置７４は、予めストッパソレノイド５７を消磁して流下ストッパ５６を阻止解除状態に設定しておく。また、モード監視手段として機能し、変動表示装置６において普図変動表示ゲームまたは特図変動表示ゲームが実行されているか否か、言い換えるといずれの変動表示ゲームも実行されていない通常状態（所謂客待ちモード）であるか否かを常時監視し、この結果、通常状態であることが検出されているものとする。さらに、包囲枠体５は、押圧受部６１に遊技球を載せておらず、揺動部材４３を流下許容状態に設定しているものとする。
【００３１】
発射装置（図示せず）から発射された遊技球が遊技領域３へ飛入し、包囲枠体５の上方から第２案内路５２の上流側開口５２ａへ流入すると、包囲枠体５は、この遊技球を第２案内路５２へ流下させて流下ストッパ５６により第２案内路５２内に貯留する。また、第２案内路５２内の遊技球とは別個の遊技球が包囲枠体５の側方から第１案内路５１の上流側開口５１ａへ流入すると、この遊技球を第１案内路５１へ流下させて下流側開口５１ｄから第１球転動領域３１の側部へ放出する。第１球転動領域３１上に到達した遊技球は、球転動阻止突起３７により第２球転動領域３２への移動を阻止されながら、第１球転動領域３１の左右方向の中央部分へ向けて転動し、誘導傾斜部３６へ到達する。
【００３２】
すると、傾斜部検出センサ３９が誘導傾斜部３６上の遊技球を検出し、この検出信号を遊技制御装置７４へ送信する。検出信号を受信した遊技制御装置７４は、ソレノイド制御手段として機能し、遊技が通常状態で進行している場合、言い換えるといずれの変動表示ゲーム（普図変動表示ゲーム、特図変動表示ゲーム）も非実行状態である場合には、傾斜部検出センサ３９から検出信号を受信したことを条件としてストッパソレノイド５７を励磁し、流下ストッパ５６を第１案内路５１から引き抜いて阻止解除状態へ変換する。この変換動作により、包囲枠体５は、図６に示すように、第２案内路５２内に貯留されていた遊技球（誘導傾斜部３６上の遊技球とは別個の遊技球）の流下を許容して第２案内路５２の下流側開口５２ｅから第２球転動領域３２の押圧受部６１上へ放出する。すると、押圧受部６１が遊技球により押圧されて、揺動部材４３が流下規制状態へ変換する。この結果、誘導傾斜部３６上の遊技球が揺動流路部６２への移動を阻止されて入賞案内路２８の上流側開口２８ａへ誘導され、入賞案内路２８の下流側開口２８ｂから始動入賞口９の直上へ放出される。したがって、この遊技球は、開閉部材９ａが開いていなかったとしても始動入賞口９へ入賞し易い。
【００３３】
そして、流下ストッパ５６を第２案内路５２の下流側開口５２ｅ寄りに配置し、流下ストッパ５６を第２案内路５２内へ突出して流下阻止状態へ変換すると、第２案内路５２内に複数の遊技球を貯留可能となるように構成しているので、流下ストッパ５６の流下阻止状態を解除して複数の遊技球を第２案内路５２から流下させれば、これらの遊技球が押圧受部６１から外れるまで揺動部材４３を長時間に亘って流下規制状態に維持することができる。したがって、第１案内路５１を流下してきた遊技球が始動入賞口９へ入賞する可能性を高めることができ、遊技の興趣の向上を図ることができる。なお、遊技制御装置７４は、普図変動表示ゲームまたは特図変動表示ゲームのいずれかを実行していること、あるいは傾斜部検出センサ３９が遊技球を検出しない（すなわち誘導傾斜部３６上に遊技球が載っていない）ことを条件としてストッパソレノイド５７を消磁して、流下ストッパ５６を流下阻止状態へ戻す。
【００３４】
一方、押圧受部６１を押圧していた遊技球は、転動規制壁６６により第３球転動領域３３への転動を規制されながら揺動部材４３の下り傾斜方向に沿って流下し、転動規制壁６６から外れた箇所、具体的には揺動中心軸Ｃの直上あたりで第３球転動領域３３へ移動したり、あるいは揺動流路部６２へ流入してから第３球転動領域３３へ移動したりする。すると、揺動部材４３は、押圧受部６１の押圧状態を解除して流下許容状態へ変換する。さらに、揺動部材４３から第３球転動領域３３へ流下した遊技球は、第３球転動領域３３を包囲枠体５の左右方向へ転動し、転動勢が弱くなった状態で放出傾斜部４５へ到達すると、放出傾斜部４５上を左右方向に揺動しながら前方へ向けて転動し、入賞放出口４７から始動入賞口９の直上へ落下したり、球放出口４８から始動入賞口９の側方へ外れた位置へ落下したりする。このとき、球放出口４８を入賞案内路２８の下流側開口２８ｂよりも上方に配置しているので、入賞案内路２８の下流側開口２８ｂから始動入賞口９へ向けて落下する遊技球に、球放出口４８から放出された遊技球が側方から衝突する虞がない。したがって、始動入賞口９への入賞が期待される遊技球が他の遊技球に衝突される不都合、ひいては入賞を邪魔される不都合を抑えることができ、遊技者の期待どおりに遊技を進行し易い。
【００３５】
包囲枠体５から落下した遊技球や遊技領域３を流下する遊技球が始動入賞口９へ入賞すると、遊技制御装置７４が特図変動表示ゲームを実行する制御を行い、この制御指令に基づいて変動表示装置６が複数の識別情報を変動表示する。さらに、特図変動表示ゲームの結果態様が予め定められた特別結果態様（所謂大当たり）になると、遊技制御装置７４は、大入賞口１１を開放する制御を実行し、開放状態の大入賞口１１に遊技球が入賞すると、予め定められた特別遊技価値（具体的には賞球）を遊技者へ付与する。
【００３６】
そして、特図変動表示ゲームまたは普図変動表示ゲームのいずれかが実行中である場合には、遊技制御装置７４は、遊技球が第１案内路５１および第１球転動領域３１を通って誘導傾斜部３６上に到達したとしても、流下ストッパ５６を阻止解除状態へ変換しない。したがって、揺動部材４３は、押圧受部６１に遊技球を受けることができず、錘６５の自重により流下許容状態を維持する。そして、誘導傾斜部３６上の遊技球は、左右方向へ揺動しながら前方へ流下し、入賞案内路２８へ流入するか、あるいは揺動流路部６２へ流入する。入賞案内路２８へ流入した場合には、下流側開口２８ｂから放出されて始動入賞口９の直上へ落下し、始動入賞口９へ入賞し易い。一方、揺動流路部６２へ流入すると、入賞案内路２８の上流側開口２８ａへ落下することを落下阻止突起６８により阻止されながら前方へ転動し、下流端から放出されて第３球転動領域３３へ移動する。このとき、揺動流路部６２を流下してきたことで遊技球の流下勢が包囲枠体５の前後方向に沿って強まる。この結果、揺動流路部６２から第３球転動領域３３へ進入してきた遊技球は、放出傾斜部４５のうち揺動流路部６２の前方に位置する球放出口４８へ到達し、さらには球放出口４８から放出されて始動入賞口９の直上から側方へ外れた位置へ落下し、始動入賞口９へ入賞し難い。
【００３７】
このようにして、本発明における包囲枠体５は、第２案内路５２を流下してきた遊技球の動きを利用して、第１案内路５１を流下してきた遊技球が始動入賞口９へ入賞し易くなるか否かという入賞難易度を設定することができる。したがって、従来にない斬新な機能を備えた球転動部２３を実現することができ、遊技の興趣が減衰する不都合を避けることができる。
【００３８】
なお、上記した動作を実現するための遊技制御装置７４による制御処理、特にストッパソレノイド５７を制御するソレノイド制御手段として機能する際の制御処理は、次の通りである。すなわち、遊技制御装置７４は、図８に示すように、ソレノイド制御処理において、まず客待ちモード（通常遊技状態）であるか否かを判断し（Ｓ１）、客待ちモードであれば、傾斜部検出センサ３９が遊技球を検出して検出信号を送信しているか否かを判断する（Ｓ２）。そして、傾斜部検出センサ３９が遊技球を検出していれば、ストッパソレノイド５７を励磁（作動）し（Ｓ３）、ステップＳ１に戻る。一方、ステップＳ１において客待ちモードではないと判断された場合、またはステップＳ２において検出信号を送信していないと判断された場合には、ストッパソレノイド５７を消磁（停止）し（Ｓ４）、ステップＳ１に戻る。
【００３９】
ところで、上記実施形態では、包囲枠体５に複数の第１案内路５１および複数の第２案内路５２を設けたが、本発明はこれに限定されない。例えば、第１球転動領域３１に遊技球を案内する第１案内路と、第２球転動領域３２に遊技球を案内する第２案内路とをそれぞれ１つずつ包囲枠体５に備えてもよい。さらに、球転動部２３に第３球転動領域３３を備えたが、本発明はこれに限定されない。要は、第１案内路５１を流下してきた遊技球を受け入れる第１球転動領域３１と、第２案内路５２を流下してきた遊技球を受け入れる第２球転動領域３２とを含んでいれば、他の球転動領域の有無を問わない。
【００４０】
また、上記実施形態では、本発明における制御装置として遊技制御装置７４を採用したが、本発明はこれに限定されない。例えば、遊技制御装置７４とは別個の制御装置であってもよいし、あるいは遊技制御装置７４を含む複数の制御ユニットや、遊技制御装置７４を含まない複数の制御ユニットを本発明における制御装置として機能させてもよい。さらに、上記実施形態では、包囲枠体５の後方に変動表示装置６を備え、表示用開口部１８から変動表示装置６の表示画面を遊技盤１の前方へ臨ませたが、本発明はこれに限定されない。例えば、遊技盤１の下方に変動表示装置を備えてもよい。
【００４１】
そして、上記実施形態では、代表的な遊技機であるパチンコ遊技機を例にして説明したが、本発明はこれに限らず、前面に遊技領域が区画形成された遊技盤と、該遊技領域に配置され、遊技球の内部への流入を規制する壁が枠状に設けられた包囲枠体と、該包囲枠体の下方に配置された始動入賞口と、複数の識別情報を変動表示して変動表示ゲームを実行可能な変動表示装置と、遊技の進行を制御する制御装置と、を備え、遊技球が始動入賞口へ入賞したことに基づいて変動表示装置が変動表示ゲームを実行し、該変動表示ゲームの結果態様が予め定められた特別結果態様となった場合に、制御装置が特別遊技状態を発生させる制御を行って予め定められた特別遊技価値を付与可能とする遊技機であればどのような遊技機でもよい。例えば、封入球式パチンコ機、アレンジボール式遊技機、雀球式遊技機等の遊技機であってもよい。
【００４２】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００４３】
【図１】遊技盤の斜視図である。
【図２】包囲枠体の斜視図である。
【図３】包囲枠体の前方から見た分解斜視図である。
【図４】（ａ）は包囲枠体の前方から見た分解斜視図であり、（ｂ）は流下ストッパの説明図である。
【図５】揺動部材の説明図であり、（ａ）は流下規制状態の説明図、（ｂ）は流下許容状態の説明図である。
【図６】揺動部材が流下規制状態に変換したときの包囲枠体の説明図である。
【図７】制御系統の説明に供するブロック構成図である。
【図８】ソレノイド制御処理のフローチャートである。
【符号の説明】
【００４４】
１  遊技盤
５  包囲枠体
６  変動表示装置
９  始動入賞口
１５  枠体基部
２２  鎧部
２３  球転動部
２６  後側転動部形成部材
２７  前側転動部形成部材
２８  入賞案内路
２８ａ  上流側開口
２８ｂ  下流側開口
２９  転動案内路
３１  第１球転動領域
３２  第２球転動領域
３３  第３球転動領域
３６  誘導傾斜部
３９  傾斜部検出センサ
４３  揺動部材
４５  放出傾斜部
４７  入賞放出口
４８  球放出口
５１  第１案内路
５１ａ  上流側開口
５１ｄ  下流側開口
５２  第２案内路
５２ａ  上流側開口
５２ｅ  下流側開口
５６  流下ストッパ
６１  押圧受部
６２  揺動流路部
６６  転動規制壁
７４  遊技制御装置
【図１】
2010115228.tif 000003
【図２】
2010115228.tif 000004
【図３】
2010115228.tif 000005
【図４】
2010115228.tif 000006
【図５】
2010115228.tif 000007
【図６】
2010115228.tif 000008
【図７】
2010115228.tif 000009
【図８】
2010115228.tif 000010